(57)【要約】【解決手段】  受信器に設けられる自動ゲイン制御ループは、受信信号経路全体におけるゲイン分配を適応制御することによって、帯域外干渉源のレベルの変動を補償する。中間受信信号強度（ＲＳＳＩ）検出器を１以上用いて、対応する中間信号レベルを決定する。各ＲＳＳＩ検出器の出力はそれぞれ、対応付けられている比較器に結合されており、当該比較器は、中間ＲＳＳＩ値と、対応付けられているしきい値とを比較する。ゲイン段のテイク・オーバー・ポイント（ＴＯＰ）は、比較器の出力値に部分的に基づいて調整される。複数のゲイン段のそれぞれのＴＯＰは、不連続的または連続的に調整されるとしてよい。【選択図】  図６
2011501529.tif 000002
【特許請求の範囲】
【請求項１】
受信器であって、
第１の増幅段と、
前記第１の増幅段に呼応する周波数変換モジュールと、
前記周波数変換モジュールに呼応するフィルタと、
前記フィルタに呼応する第２の増幅段と、
前記第１の増幅段の出力信号と、前記受信器について選択されている総ゲインとに応じて、前記第１の増幅段および前記第２の増幅段のそれぞれのゲインを変更する制御器と
を備える受信器。
【請求項２】
受信器であって、
第１の増幅段と、
前記第１の増幅段に呼応する周波数変換モジュールと、
前記周波数変換モジュールに呼応するフィルタと、
前記フィルタに呼応する第２の増幅段と
を備え、
第１のフィードバック信号および第２のフィードバック信号に応じて、前記第１の増幅段および前記第２の増幅段のゲインを変更する受信器。
【請求項３】
前記第１のフィードバック信号および前記第２のフィードバック信号は、前記第１の増幅段および前記第２の増幅段の出力信号を表す第１の信号および第２の信号に呼応する制御器から供給される請求項２に記載の受信器。
【請求項４】
前記制御器は、前記受信器の外部に設けられている請求項３に記載の受信器。
【請求項５】
前記制御器はさらに、前記フィルタに呼応する請求項３に記載の受信器。
【請求項６】
第３の増幅段をさらに備え、
前記制御器はさらに、前記第３の増幅段の出力信号を表す第３の信号に呼応する請求項３に記載の受信器。
【請求項７】
受信器のゲインを制御する方法であって、
第１の増幅段を用いて受信信号を増幅して第１の信号を生成する段階と、
前記第１の信号を周波数変換する段階と、
周波数変換された前記信号をフィルタリングする段階と、
第２の増幅段を用いて、フィルタリングされた前記信号を増幅して、第２の信号を生成する段階と、
前記第１の増幅段の出力信号と、前記受信器について選択されている総ゲインとに応じて、前記第１の増幅段および前記第２の増幅段のそれぞれのゲインを変更する段階と
を備える方法。
【請求項８】
受信器のゲインを制御する方法であって、
第１の増幅段を用いて受信信号を増幅して第１の増幅信号を生成する段階と、
前記第１の増幅信号を周波数変換する段階と、
周波数変換された前記信号をフィルタリングする段階と、
第２の増幅段を用いて、フィルタリングされた前記信号を増幅して、第２の増幅信号を生成する段階と、
第１のフィードバック信号および第２のフィードバック信号に応じて、前記第１の増幅段および前記第２の増幅段のそれぞれのゲインを変更する段階と
を備える方法。
【請求項９】
前記第１の増幅信号および前記第２の増幅信号を表す信号を制御器に印加する段階と、
前記制御器に印加される前記信号に応じて前記第１のフィードバック信号および前記第２のフィードバック信号を生成する段階と
をさらに備える請求項８に記載の方法。
【請求項１０】
前記制御器は、前記受信器の外部に設けられている請求項９に記載の方法。
【請求項１１】
前記フィルタリングされた信号を表す信号を前記制御器に印加する段階
をさらに備える請求項９に記載の方法。
【請求項１２】
前記制御器はさらに、前記受信器内に存在する第３の増幅信号に呼応する請求項９に記載の方法。
【請求項１３】
ゲインを分配する方法であって、
信号経路内の中間ポイントにおける受信信号メトリックを決定する段階と、
前記受信信号メトリックに基づいて、前記中間ポイントの後のゲインに対して相対的に前記中間ポイントの前のゲインのテイク・オーバー・ポイント（ＴＯＰ）を調整する段階と
を備える方法。
【請求項１４】
ゲインを分配する装置であって、
信号値を所定の基準レベルと比較する比較器と、
前記比較の結果に少なくとも部分的に基づいて、自動ゲイン制御のテイク・オーバー・ポイント（ＴＯＰ）を調整するゲイン制御器と
を備える装置。
【発明の詳細な説明】
【関連出願】
【０００１】
本願は、米国特許法第１１９条第（ｅ）項に基づき、米国仮特許出願第６０／９７９，０２４号（出願日：２００７年１０月１０日、発明の名称：「受信器におけるゲイン分配を最適化する技術」）に基づく恩恵を主張する。当該仮特許出願の内容は全て、参照により本願に組み込まれる。
【背景技術】
【０００２】
受信器システムは通常、連続して設けられる複数の段から構成され、これらの段には、選択前のゲインおよびミキシング段、周波数選択段（つまり、フィルタ）、および、選択後のゲインおよびミキシング段が含まれる。従来の受信器は、選択前ゲインと選択後ゲインとの間で所定の割合でゲイン分配を行うことによってシステム全体のゲインを設定するか、または、独立した制御器または復調器を用いて選択前ゲインおよび選択後ゲインを別々に調整して、直線性およびノイズのバランスを取る。
【０００３】
図１は、先行技術に係る受信器１００を示す簡略ブロック図である。受信器１００において、増幅器１１０は、選択前ゲインであるゲインＧ１を持つ。周波数変換器１２０は、ミキサであってよく、周波数変換を行う。フィルタＤ１１３０は通常、所望されない信号をフィルタリングして除去するバンドパスフィルタである。増幅器１４０は、選択後ゲインであるゲインＧ２を持つ。ローカルオシレータ（不図示）は通常、周波数変換器１２０に発振信号を供給するべく用いられる。周波数変換器１２０およびフィルタ１３０は通常、直線性が有限であるので、接続する信号の範囲を限定することが望ましい。
【０００４】
図２Ａは、フィルタ１３０が受信する信号のスペクトルの一例を示す図である。望ましい信号は、周波数Ｆｄを持つものとして図示されている。受信信号のスペクトルは、望ましくない信号成分（ブロッカとも呼ばれる）を含むことが多い。望ましくない信号成分は、図２Ａにおいて、周波数Ｆｂ１およびＦｂ２を持つものとして図示されており、望ましい信号との間で干渉を発生させ、非直線性および歪み等の原因となる。例えば、望ましくない信号Ｆｂ１およびＦｂ２の間隔および振幅によって、増幅器１１０の出力において、３次相互変調歪が発生し得る。このため、図２Ｂに示すように、ブロッカ信号を減衰させるべく構成されているフィルタ１３０の前に設定するゲインを大きくし過ぎるのは望ましくない。望ましくない信号を抑制することによって、増幅器１４０は、望ましくない信号の振幅を大幅に増加させることなく、望ましい周波数を増幅することが出来るようになる。
【０００５】
増幅器１１０のゲインＧ１を小さくすると、直線性が改善する。第１の増幅器１１０のゲインを小さくするとさらに、信号Ｓ１の振幅も小さくなる。信号Ｓ４の振幅を一定に保つべく、ゲインＧ２を大きくするとしてよい。増幅器１１０と増幅器１４０との間でゲインを再分配すると、歪みが小さくなるが、信号ノイズ比（ＳＮＲ）が劣化してしまう。このため、信号ノイズ比を改善するべくゲインＧ１を大きくすると、ブロッカが存在する場合にシステムの直線性が劣化する（信号の歪み成分が大きくなる）というように、トレードオフが生じてしまう。
【０００６】
ゲインＧ１およびＧ２は通常、総ゲインＧ１＊Ｇ２が公知の値に等しくなるように選択される。従来用いられている方法の１つでは、入力信号レベルＳ０において、Ｇ１およびＧ２について所定のゲイン分配を利用する。図３は、制御信号Ｔｓｙｓを用いて、Ｇ１およびＧ２について所定のゲイン分配を行う従来技術に係る受信器３００を示すブロック図である。図４は、所定のゲイン分配が行われている受信器の、ゲインＧ１およびＧ２、ならびに、Ｇ１＊Ｇ２（Ｇｓｙｓ）を示すグラフである。
【０００７】
受信器３００において、第１の増幅器１１０および第２の増幅器１４０のゲインはそれぞれ、ゲイン制御器３１０によって制御される。ゲイン制御器３１０は、信号Ｔｓｙｓに基づいて所定のゲイン分配を行うアルゴリズムに従ってゲインＧ１およびＧ２を制御する。図４は、増幅器１１０のゲインＧ１、増幅器１４０のゲインＧ２、および、ゲインＧ１およびＧ２の積の一例を示す。アタックポイント（ＡＰ）は、総ゲインＧｓｙｓが減少し始める信号レベルを示す。テイク・オーバー・ポイント（ＴＯＰ）は、ゲイン制御が信号Ｔ２から信号Ｔ１へと移行する信号レベルを表す。ＴＯＰ値およびＡＰ値は通常、予め定められた固定値である。一般的なテレビシステムでは、制御信号Ｔ１およびＴ２の生成には復調器が用いられる。
【０００８】
別の従来技術によると、第２の増幅段の出力信号に基づきゲイン分配を決定する。図５は、復調器５１０の制御に基づきゲイン分配を行う受信器５００を示す簡略ブロック図である。復調器５１０は、ブロッカの有無およびレベルに応じて、Ｇ１およびＧ２の値を制御する。復調器５１０は、第２の増幅器１４０の出力信号Ｓ４を検出することによって、増幅器１１０と増幅器１４０との間でのゲイン分配を制御するべく動作する。復調器５１０は、ブロッカ等の望ましくない信号成分が望ましい信号において歪みを発生させているか否かを推定するようにプログラムされているとしてよい。復調器５１０は、信号Ｔ１およびＴ２を調整することによって、ゲインを再分配する。
【発明の概要】
【課題を解決するための手段】
【０００９】
受信器内に設けられている自動ゲイン制御ループは、受信信号の経路全長にわたってゲイン分配を調整および制御することによって、帯域外干渉源のレベルの変動を補償する。中間受信信号強度（ＲＳＳＩ）検出器を１以上用いて、対応する中間信号レベルを取得する。各ＲＳＳＩ検出器の出力は、対応する比較器に接続されて、当該比較器において当該中間ＲＳＳＩ値を対応するしきい値と比較する。ゲイン段のテイク・オーバー・ポイント（ＴＯＰ）は、この比較器の出力値に少なくとも部分的に基づいて、調整される。複数のゲイン段のそれぞれについてのＴＯＰは、不連続的または連続的に調整されるとしてよい。
【００１０】
本発明によると、例えば、選択前ゲインおよび選択後ゲインの積として定義されているゲインを持つ所与の受信器の経路に対して、受信器内に設けられているフィルタに入力される信号レベルを最適化するべく、選択前ゲインと選択後ゲインとの間でのゲイン分配を調整する自己補償型小型装置および方法が提供される。このため、当該受信器は、外部の制御器または復調器の介入に頼ることなく、ほかの周波数を持つ望ましくない信号（ブロッカ）の有無に応じて直線性とノイズとの間のバランスを常にとることができる。
【００１１】
本発明の一実施形態に係る受信器は、構成要素の一部として、第１の増幅段と、第１の増幅段に呼応する周波数変換モジュールと、周波数変換モジュールに呼応するフィルタと、フィルタに呼応する第２の増幅段と、第１の増幅段の出力信号と、受信器について選択されている総ゲインとに応じて、第１の増幅段および第２の増幅段のそれぞれのゲインを変更する制御器とを備える。
【００１２】
本発明の別の実施形態に係る受信器は、構成要素の一部として、第１の増幅段と、第１の増幅段に呼応する周波数変換モジュールと、周波数変換モジュールに呼応するフィルタと、フィルタに呼応する第２の増幅段とを備える。当該受信器は、第１のフィードバック信号および第２のフィードバック信号に応じて、第１の増幅段および第２の増幅段のゲインを変更する。
【００１３】
一実施形態によると、第１のフィードバック信号および第２のフィードバック信号は、第１の増幅段および第２の増幅段の出力信号を表す信号に呼応する制御器から供給される。一実施形態によると、制御器は、受信器の外部に設けられている。一実施形態によると、制御器はさらに、フィルタに呼応する。一実施形態によると、当該受信器は、第３の増幅段を備える。このような実施形態では、制御器はさらに、第３の増幅段の出力信号を表す第３の信号に呼応する。
【００１４】
本発明の一実施形態に係る受信器のゲインを制御する方法は、一部の段階として、第１の増幅段を用いて受信信号を増幅して第１の信号を生成する段階と、第１の信号を周波数変換する段階と、周波数変換された信号をフィルタリングする段階と、第２の増幅段を用いて、フィルタリングされた信号を増幅して、第２の信号を生成する段階と、第１の増幅段の出力信号と、受信器について選択されている総ゲインとに応じて、第１の増幅段および第２の増幅段のそれぞれのゲインを変更する段階とを備える。
【００１５】
本発明の別の実施形態に係る受信器のゲインを制御する方法は、一部の段階として、第１の増幅段を用いて受信信号を増幅して第１の増幅信号を生成する段階と、第１の増幅信号を周波数変換する段階と、周波数変換された信号をフィルタリングする段階と、第２の増幅段を用いて、フィルタリングされた信号を増幅して、第２の増幅信号を生成する段階と、第１のフィードバック信号および第２のフィードバック信号に応じて、第１の増幅段および第２の増幅段のそれぞれのゲインを変更する段階とを備える。
【００１６】
一実施形態によると、当該方法はさらに、一部の段階として、第１の増幅信号および第２の増幅信号を表す信号を制御器に印加する段階と、制御器に印加される信号に応じて第１のフィードバック信号および第２のフィードバック信号を生成する段階とを備える。一実施形態によると、制御器は、受信器の外部に設けられている。一実施形態によると、当該方法はさらに、フィルタリングされた信号を表す信号を制御器に印加する段階を備える。一実施形態によると、制御器はさらに、受信器内に存在する第３の増幅信号に呼応する。
【図面の簡単な説明】
【００１７】
【図１】先行技術から公知の受信器を示す簡略ブロック図である。
【００１８】
【図２Ａ】無線通信受信器に設けられているフィルタが受信する信号のスペクトルの一例を示す図である。
【００１９】
【図２Ｂ】図２Ａに示す望ましくない信号を減衰するフィルタのフィルタリング特性を示す図である。
【００２０】
【図３】先行技術から公知の受信器を示す簡略ブロック図である。
【００２１】
【図４】所定のゲイン分配が行われているシステム内の増幅器のゲインの一実施形態を示す簡略図である。
【００２２】
【図５】先行技術から公知の受信器を示すブロック図である。
【００２３】
【図６】本発明の一実施形態例に係る受信器を示す簡略ブロック図である。
【００２４】
【図７】本発明の別の実施形態例に係る受信器を示す簡略ブロック図である。
【００２５】
【図８】図７に示す受信器におけるゲインおよびゲイン分配の例を示す図である。
【００２６】
【図９】本発明の一実施形態に係る適応型ゲイン分配のステップを説明するためのフローチャートである。
【００２７】
【図１０】本発明の一実施形態例に係る受信器を示すブロック図である。
【発明を実施するための形態】
【００２８】
図６は、本発明の一実施形態に係る受信器６００を示すブロック図である。受信器６００は、一部の構成要素として、増幅器１１０および１４０、周波数変換器１２０、フィルタ１３０、ならびにセンサ６１０を備えるものとして図示されている。ローカルオシレータ（不図示）は、周波数変換器１２０に発振信号を供給する。周波数変換器１２０は、ミキサ、マルチプレクサ等であってよい。復調器５１０は、受信器６００の内部または外部のいずれに設けられるとしてもよい。センサ６１０は、信号Ｓ１を検出して、当該ＲＦ信号の強度を決定する。このように信号Ｓ１を検出した結果は、復調器／制御器５１０に供給される。復調器／制御器５１０にはさらに、増幅器１４０が生成する信号Ｓ４も供給される。これに応じて、復調器／制御器５１０は、ゲインを制御するべく増幅器１１０および１４０に対して印加される信号Ｔ１およびＴ２を生成する。図６から分かるように、受信器６００は、復調器／制御器５１０と共に、一対の制御ループＬ１およびＬ２を形成する。制御ループＬ１およびＬ２は、それぞれ独立して復調器／制御器５１０によって制御される。ループＬ１は、信号Ｔ１によってゲインＧ１を制御するためのものであり、ループＬ２は、信号Ｔ２によってゲインＧ２を制御するためのものである。復調器／制御器５１０は、信号Ｔ１およびＴ２を用いて増幅器１１０および１４０のゲインを変化させるためのさまざまなアルゴリズムのうちいずれを用いて構成するとしてもよい。
【００２９】
図７は、本発明の別の実施形態に係る受信器７００を示すブロック図である。受信器７００は、制御器７１０に印加される信号Ｔｓｙｓが２つの増幅段の総ゲインに関する情報を含むという点を除いて、受信器６００と同様の構成を持つ。信号Ｔｓｙｓは、例えば、復調器から供給されるとしてよい。したがって、受信器７００では、ループＬ１を用いてＧ１を決定する。制御器７１０は、信号Ｔｓｙｓが表す総ゲインを認識しているので、信号Ｔ２を用いてゲインＧ２を適切に設定する。受信器７００におけるゲイン分配は、信号制御ラインＴｓｙｓからの入力に基づいて、制御器７１０が特定する所望のゲインＧｓｙｓを実現するようにゲインＧ１とゲインＧ２との間で自動的に行われる。受信器７００で必要な制御ラインＴｓｙｓは１つのみであるので、実施は容易である。また、受信器１００は、ブロッカのレベルに応じて、直線性と信号ノイズ比とのバランスを取るべく、ＴＯＰを調整するとしてよい。制御器７１０は、復調器を含まない構成としてよいので、受信器７００の他の素子と同じＩＣに実装するとしてもよい。
【００３０】
図８の（Ａ）、（Ｂ）および（Ｃ）は、図７に示した可変ゲイン分配型の受信器に関するゲイン曲線およびゲイン分配の一例を示す。図８の（Ａ）は、受信器７００の総ゲインＧｓｙｓの特性を示す。図８の（Ｃ）に示すように、信号Ｓ１が所定の基準レベルを超えると、ＴＯＰは、Ｓ１が基準レベルと等しくなるか、または、所望の基準レベルから一定の範囲内に収まるまで、例えば、ＴＯＰ１まで低減される。図８の（Ｂ）に示すように、Ｓ１が基準レベルよりも低くなると、ＴＯＰは、Ｓ１が基準レベルと等しくなるまで、例えば、ＴＯＰ２まで増大させられる。
【００３１】
図６および図８を参照しつつ、制御器７１０の動作を以下で説明する。所望のチャネルの信号Ｓｄは一定であるが、ブロッカのレベルが変動するので、合計の信号Ｓ１は変化すると仮定する。合計の信号Ｓ１が最適な基準レベルより大きくなったことをセンサ６１０が検出すると、ループＬ１を用いてＴＯＰを低減させ、具体的には、Ｔ１を用いてＧ１を低減させる。Ｇ２は、Ｇｓｙｓを一定に保つべく、Ｔ２によって増大させられる。同様に、合計の信号Ｓ１が基準レベルより小さくなったことをセンサ６１０が検出すると、ループＬ１を用いてＴＯＰを増大させ、具体的には、Ｔ１を用いてＧ１を増大させる。Ｇ２は、Ｇｓｙｓを一定に保つべく、Ｔ２によって低減させられる。最適な基準レベルは、アプリケーションごとに異なり、アプリケーションの変更に応じて動的にプログラミングされるとしてよい。デジタル実装の場合は、回路を安定させるためにヒステリシスを用いるとしてよい。
【００３２】
図７に示す受信器７００の場合、ゲイン分配を最適化する上で、外部の制御器または復調器が必要ない。このため、システム構成を非常に簡略化することができ、任意の復調器と結合させることができる。また、大規模なソフトウェア開発を必要とすることなく、任意の通信基準を採用することができる。
【００３３】
実際のデジタル実装について、方法９００に基づき、以下で説明する。当該方法９００では、ＴＯＰ制御の各ステップが実行され、デジタル信号Ｓ１を受信する。方法９００を実装している回路、例えば、図７の制御器７１０は、入力されるＳ１のレベルと基準レベルとを比較して、補償を実行するべく、ＴＯＰを制御しているデジタルワードを増減させる。制御器回路は、信号Ｓ１が更新されるレートに応じて決まるレートのクロックで動作し得る。
【００３４】
図９は、本発明の一実施形態に係る適応型ゲイン分配プロセスを実行するためのステップを示すフローチャート９００である。当該プロセスは、第１のゲイン段を経た後のＳ１値（つまり、第１の増幅段の出力信号）が更新されるステップ、または、Ｓ１値が常に更新されるか、制御ループのレートよりも高速なレートで更新される場合であれば、制御ループが開始されるステップであるステップ９１０から開始される。制御器は、更新後のＳ１値を受信する。
【００３５】
ステップ９２０において、Ｓ１値が、現在アクティブ状態にあるアプリケーションの所定の基準レベルＲＥＦと略同一であるか否かを判断する。略同一であると判断されると、制御器はステップ９３０へと進み、Ｓ１値が所定の低基準レベルＲＥＦＬ未満であるか否か判断する。低基準レベルＲＥＦＬ未満であると判断されると、制御器はステップ９７０に進み、テイク・オーバー・ポイント（ＴＯＰ）を、所定のＴＯＰ上限値まで増大させる。
【００３６】
制御器は、ステップ９３０において、Ｓ１値が低基準レベルＲＥＦＬ以上であると判断した場合、ステップ９４０に進み、Ｓ１が高基準レベルＲＥＦＨよりも高いか否かを判断する。高基準レベルＲＥＦＨ以下であると判断されると、制御器はステップ９１０に戻り、ＴＯＰは変更せず次にＳ１が更新されるまで待つ。制御器は、ステップ９４０において、ＲＳＳＩが高基準レベルＲＥＦＨよりも高いと判断すると、ステップ９６０に進み、ＴＯＰを所定の下限値まで低減させる。
【００３７】
ステップ９２０について、制御器は、Ｓ１が基準レベルの略同一でないと判断した場合、ステップ９５０に進み、Ｓ１が基準レベルよりも高いか否かを判断する。制御器は、Ｓ１が基準レベルよりも高いと判断した場合、ステップ９７０に進んでＴＯＰを増大させるが、上限値を超えないようにする。ステップ９５０において、制御器は、Ｓ１が基準レベル以下であると判断した場合、ステップ９６０に進んでＴＯＰを低減させるが、下限値を下回らないようにする。制御器は、ステップ９６０またはステップ９７０から、つまり、ＴＯＰを調整した後、ステップ９１０に戻り、次にＳ１が更新されるまで待つ。
【００３８】
信号経路のどの部分が最初に飽和するのかを検出するべく、信号強度監視ループをさらに信号経路に追加し得るものと理解されたい。このような機能は、所望の信号から離れているブロッカと所望の信号に近いブロッカとを受信器に識別させることができるようになるので、有用であるとしてよい。
【００３９】
近いブロッカは、Ｎ＋／−１ブロッカまたは隣接チャネルブロッカ（つまり、所望のチャネルＮの１つ上または下のチャネルであるブロッカである）と呼ぶ。周波数がこれより離れているブロッカにも同様の名称を付与する。受信器において、Ｎ＋／−１ブロッカによって、信号経路のうちミキシングまたはフィルタリングの後の部分が、ミキサが飽和する前に受信器の動作を制限する場合が多い。Ｎ＋／−１ブロッカに起因する（望ましくない）３次歪み成分は、当該ブロッカにより近い周波数においてより深刻になるので、受信器はＮ＋／−１ブロッカからより大きな影響を受けやすい。このような問題を解決するべく、本発明の一実施形態に係る適応ゲイン分配型受信器は、Ｎ＋／１のような近いブロッカと、Ｎ＋／−２及びその他のブロッカとを区別できるように、信号経路にセンサを備える。
【００４０】
図１０は、一対の信号強度センサ８１０および８２０を備える受信器１０００を示すブロック図である。このため、受信器１０００は、信号Ｓ１およびＳ３の強度を検出することを除いて、受信器７００と同様の構成を持つ。当該受信器の総ゲインは、制御器７１０に供給される信号Ｔｓｙｓによって定められる。このため、受信器１０００は、信号経路のうち最も弱いリンクでいつ歪みが発生しているかを検出して、当該リンクにおける歪みを解消するようにゲイン再分配を調整する。Ｎ＋／１ブロッカの場合、Ｓ３は、信号Ｓ１が歪みの主要な原因になる前に、フィルタＤ１およびその他のベースバンド回路に起因する歪みが信号に影響を与え始めるレベルに到達する。制御器７１０は、ゲインＧ１を低減すること、および、ゲインＧ２を増大させて補償を行うことを決定して、Ｓ３を所定のしきい値よりも低いレベルに保つ。他のフィルタおよびゲイン制御機構を同様に信号経路に設けて制御するとしてもよい。
【００４１】
上述した本発明の実施形態は、例として挙げたものに過ぎず、本発明を限定するものではない。さまざまな変更例および均等例を実施することができる。本発明は、ダイバーシティ受信器に設けられるサブバンドの数によって限定されるものではない。本発明は、本明細書で開示される技術が実装される集積回路の種類について、限定されるものではない。また、本開示内容は、例えば、製造の際に利用する加工技術について、ＣＭＯＳ型、バイポーラ型、またはＢＩＣＭＯＳ型等の特定の種類の加工技術に限定されるものではない。本開示内容を参照すれば上記以外の内容を追加すること、上記の内容の一部を削除すること、または上記の内容の一部を変更することが可能なのは明らかであり、そのような追加、削除、変更の内容は本願の特許請求の範囲に含まれるものとする。
【図１】
2011501529.tif 000003
【図２Ａ】
2011501529.tif 000004
【図２Ｂ】
2011501529.tif 000005
【図３】
2011501529.tif 000006
【図４】
2011501529.tif 000007
【図５】
2011501529.tif 000008
【図６】
2011501529.tif 000009
【図７】
2011501529.tif 000010
【図８】
2011501529.tif 000011
【図９】
2011501529.tif 000012
【図１０】
2011501529.tif 000013
【国際調査報告】
2011501529.tif 000014